(57)【要約】【課題】  提げ手を長手方向に２分割し、提げ手の細長体の向かい合った両側縁にスライドファスナーを装着することにより提げ手が開閉自在となる構成とした、デザイン性に優れた手提げバッグを提供する。【解決手段】  上部が開口した収納部に開口の一端縁と他端縁を結ぶ提げ手を延設した手提げバッグであって、提げ手は、細長体からなり、更に細長体を長手方向に２分割して開閉自在の提げ手とするとともに、１本の提げ手に結合するように２つに分割した細長体の向かい合った両側縁にスライドファスナーを装備した構成である。【選択図】  図１
2014014483.tif 000002
【特許請求の範囲】
【請求項１】
上部が開口した収納部に開口の一端縁と他端縁を結ぶ提げ手を延設した手提げバッグにおいて、
提げ手は、細長体からなり、更に細長体を長手方向に２分割して開閉自在の提げ手とするとともに、１本の提げ手に結合するように２つに分割した細長体の向かい合った両側縁にスライドファスナーを装備したことを特徴とする手提げバッグ。
【請求項２】
前記スライドファスナーは、スライド開閉することにより、前記収納部の一側面から他側面の間において提げ手を長手方向に２分割することを特徴とする請求項１記載の手提げバッグ。
【請求項３】
前記提げ手は、前記収納体の横幅と略同幅からなることを特徴とする請求項１および請求項２記載の手提げバッグ。
【発明の詳細な説明】
【技術分野】
【０００１】
本発明は、手提げバッグに関し、特に、提げ手を２分割し、２分割した提げ手の細長体の向かい合った両側縁にスライドファスナーを設けることにより提げ手が開閉自在となる構成とした手提げバッグに関する。
【背景技術】
【０００２】
従来より、各種デザインの手提げバッグが提供されており、デザイン性や機能性に優れた様々な手提げバッグが開発され、使い勝手の良い便利な手提げバッグについての数多くの製品が開発されている。その中で、提げ手部分に着目し、この部分の構造に工夫を加える事で、より使い勝手の良い便利な手提げバッグを提供することが行われている。
【０００３】
この手提げバッグの提げ手に関する技術として、例えば、実開平６−２４５１８号に開示された技術がある。ここでは、品物を入れるための袋部の上端部の提げ手部分に補助部片を巻き付けることでグリップとして機能させ、袋本体の不使用時には、補助部片に袋本体を折り畳んで包み込むことによりカバーとして機能させる技術が開示されている。
しかし、開示された発明によると複数の提げ手を束ねる事が可能となるが、必ずしも容易に束ねる事ができるとは言えず、うまく提げ手を束ねないと袋部の形状がくずれたり、バッグが不安定となって持ち難くなるという問題点があった。
【０００４】
また、特開２００２−１３６３２７号では、左右１対の提げ手を備えた鞄の両提げ手を一体に固着可能とし、固着する際には提げ手の位置合わせを容易に行える構成とした鞄の提げ手として、左右両提げ手の対向面に対をなす雌雄の係合部と案内部とを設け、案内部が雌雄の一方の係合部を他方の係合部へ案内して、係合部が固着することによって両提げ手を一体に固定する技術が開示されている。
しかし、開示された発明によると、案内部が完全に機能しないと提げ手の結合が容易でなくなり、結合が不完全になる虞があった。また、一対の提げ手は別個の部材で別々に取り付けられるものであり、製造時には取り付け位置の正確さが求められるため、製作コストが高くなるという問題点があった。
【０００５】
そこで、構造が複雑になり過ぎず、且つ正確に提げ手を結合することができ、デザイン性にも優れた提げ手を分割できる手提げバッグの開発が望まれていた。
【特許文献１】実開平６−２４５１８号公報
【特許文献２】特開２００２−１３６３２７号公報
【発明の開示】
【発明が解決しようとする課題】
【０００６】
本発明は上記問題を解決するために、手提げバッグであって、特に、提げ手を２分割し、提げ手の細長体の向かい合った側縁にスライドファスナーを設けることにより提げ手が開閉自在となる構成とし、デザイン性にも優れた手提げバッグを提供することを目的とする。
【課題を解決するための手段】
【０００７】
上記の目的を達成するために本発明に係る提げバッグは、上部が開口した収納部に開口の一端縁と他端縁を結ぶ提げ手を延設した手提げバッグであって、提げ手は、細長体からなり、更に細長体を長手方向に２分割して開閉自在の提げ手とするとともに、１本の提げ手に結合するように２つに分割した細長体の向かい合った両側縁にスライドファスナーを装備した構成である。
【０００８】
また、前記スライドファスナーは、スライド開閉することにより、前記収納部の一側面から他側面の間において提げ手を長手方向に２分割する構成である。
さらに、前記提げ手は、前記収納体の横幅と略同幅からなる構成である。
【発明の効果】
【０００９】
本発明は、上記詳述した通りの構成であるので、以下のような効果がある。
１．手提げバッグの提げ手を、収納部の開口の一端縁から他端縁へと延設した細長体としたため、手提げバッグの構成部品を少なくする事ができ、製造コストを下げることができる。また、提げ手を２分割して中央長手方向に開閉自在となるようにスライドファスナーを装備したため、提げ手の開閉が容易となるともに、使い勝手の良い手提げバッグとすることができる。
２．スライドファスナーが、収納部の一側面から他側面の間において提げ手を長手方向に２分割する構成としたため、提げ手部分に広い開口を確保するができる。
３．提げ手の幅を、収納体の横幅と略同幅としたため、提げ手の強度を確保できると供に、手提げバッグの使用時に、提げ手が指に食い込むなどの弊害を減らすことが可能となる。
【発明を実施するための最良の形態】
【００１０】
以下、本発明に係る手提げバッグを、図面に示す実施例に基づいて詳細に説明する。図１は、本発明の手提げバッグの斜視図である。図２は、手提げバッグの提げ手を開いた状態の斜視図であり、図３は、手提げバッグの使用例を示す側面図である。
本発明の手提げバッグ１０は、図１に示すように、収納部２０と、提げ手３０と、スライドファスナー４０とからなる。
【００１１】
収納部２０は、図１に示すように、収容する対象物を格納する袋体である。収納部２０は上部に開口２２が設けられており、該開口２２を介して収容物の出し入れを行う。収納部２０は、本発明の実施例では略直方体の袋状であるが、袋状であれば形状はこれに限定されず、他に円筒形状、球形状などにすることが考えられる。また、収納部の素材は、本実施例ではナイロンを使用しているが、これに限定されるものではない。また、収納部に蓋（図示せず）を設けた構成とすることも可能である。
【００１２】
提げ手３０は、手提げバッグ１０を持つための細長の提げ手状部材であり、収納部２０の開口２２の一端縁と他端縁を結ぶように延設される。提げ手３０は、本実施例では、収納部２０と同一の素材によって構成している。これにより、デザイン性に優れた手提げバッグ１０を構成することが可能となるが、同一の素材に限定されるものではない。また、提げ手３０は、本実施例では、収納部２０の端部を延長し、収納部と一体を成す構成としている。この構成とすることにより、鞄地の裁断工程、縫製工程を減らして製造時間やコストを削減でき、さらにデザイン性に優れた手提げバッグを作成することが出来る。なお、提げ手３０の構成はこれに限定されず、収納部２０と別部材として裁断し縫合する構成としてもよい。
【００１３】
また、提げ手３０は細長体からなり、更に図２に示すように、細長体を２分割した構成となっており、長手方向に向かい合った両側縁にスライドファスナー４０を縫合装着している。この構成とすることにより、提げ手３０の中央長手方向に提げ手３０をスライドファスナー４０によって開閉自在とすることが可能となる。スライドファスナー４０を開けて提げ手３０を２分割した場合には、第一提げ手３２ａと第二提げ手３２ｂの２つの提げ手が構成されると同時に、提げ手３０に提げ手開口３４が構成される事となる。一方、スライドファスナー４０を閉じる事により２分割された第一提げ手３２ａと第二提げ手３２ｂを結束噛合した場合には、提げ手開口３４が閉状態となるとともに、一本の提げ手３０として纏まる構成とすることが可能となる。これにより、様々なスタイルによる手提げバッグ１０の使用が可能となり、機能性やデザイン性に優れた手提げバッグ１０を構成することが可能となった。
【００１４】
スライドファスナー４０は、図１および図２に示すように、スライド部４２と務歯頭部４４とからなり、スライド部４２をスライドすることにより左右の向かい合う務歯頭部４４が開放／噛合することで、第一提げ手３２ａと第二提げ手３２ｂが離反／結合し、提げ手開口３４の開閉が可能となる。
【００１５】
また、スライドファスナー４０は、収納部２０の一側面から他側面の間において提げ手３０を長手方向に２分割する構成とすることが可能である。スライドファスナー４０を提げ手３０の両端からさらに収納部２０まで延設して可動範囲を広げることにより、提げ手開口３４を広く確保する事が可能となり、より使い勝手のよい手提げバッグ１０を構成することが可能となった。
【００１６】
提げ手３０は、収納体２０の横幅と略同幅からなる構成とすることが可能である。この構成とすることにより、スライドファスナー４０により提げ手３０を開状態とした場合、第一提げ手３２ａまたは第二提げ手３２ｂの幅を広く確保する事ができ、第一提げ手３２ａまたは第二提げ手３２ｂの何れかのみを持った場合であっても、手提げバッグ１０は安定した状態を保つとともに、提げ手３０が指に食い込むなどの弊害を減らすことが可能となる。また、提げ手３０の強度を確保することが可能となり、より使い勝手のよい手提げバッグ１０を構成することが可能となった。
【００１７】
以下、本発明に係る手提げバッグ１０の使用例を示す。手提げバッグ１０は、図１に示すように、提げ手開口３４を閉状態として使用し、物を収納する際には、図２に示すように、提げ手開口３４を開状態とする使用が考えられる。また、図３に示すように、提げ手開口３４を開状態として第一提げ手３２ａまたは第二提げ手３２ｂの何れか一方を、他方をくぐらせて持つ使用が考えられる。これにより、一方の提げ手が収納部２０の蓋の役割を果たす事となり、お洒落なバリエーションとなる。更に、収納部２０に別途蓋（図示せず）を設けることにより、提げ手開口３４を開状態にして第一提げ手３２ａおよび第二提げ手３２ｂを両腕に通して背負う使用態様も考えられる。
【図面の簡単な説明】
【００１８】
【図１】本発明の手提げバッグの斜視図
【図２】手提げバッグの提げ手を開いた状態の斜視図
【図３】手提げバッグの使用例を示す側面図
【符号の説明】
【００１９】
１０  手提げバッグ
２０  収納部
２２  開口
３０  提げ手
３２ａ  第一提げ手
３２ｂ  第二提げ手
３４  提げ手開口
４０  スライドファスナー
４２  スライド部
４４  務歯頭部
【図１】
2014014483.tif 000003
【図２】
2014014483.tif 000004
【図３】
2014014483.tif 000005